(57)【要約】      （修正有）【課題】床面に仰臥した被治療者の胸椎の背面に当てがうことで脊柱前縦靭帯と筋肉を伸展させて猫背を改善すると共に、背枕の上面から必要に応じて複数の押圧球を上昇させて脊柱左右筋肉の筋系帯を揉み解して肩凝りを改善できるようにした脊柱筋伸展用背枕を提供する。【解決手段】芯体１０の２つの略陵線部位に並設されて上部支持面４から出没自在に昇降移動する左右一対の押圧球体ＰＢ１，ＰＢ２と、これら４つの押圧球体ＰＢ１，ＰＢ２を上部支持面４の下面より昇降移動する昇降移動機構と、この昇降移動機構を介して４つの押圧球体ＰＢ１，ＰＢ２を昇降操作するハンドルとを備え、４つの押圧球体ＰＢ１，ＰＢ２を一定量上昇させて被治療者Ｎの腰椎と胸椎間の背面に当てがい脊柱左右の筋肉の筋系帯を押圧して揉みほぐす。【選択図】図２
0003141014.tif 000002
【実用新案登録請求の範囲】
【請求項１】
底面２が平坦面で上部支持面４が波状に連続した円弧状の湾曲面により低支持部５ないしこの低支持部５より僅かに高い高支持部６と両支持部の略中間に形成される谷部８とから成る２つの陵線が前後に並設された芯体１０と、この芯体１０の外面を覆う表皮材１２とから構成された脊柱筋伸展用背枕１に於いて、
上記脊柱筋伸展用背枕１は、上記芯体１０が適度の硬度を備えた弾性成形体により一体成形されると共に上記２つの陵線部位ないしその近傍に並設され上記上部支持面４から出没自在に昇降移動する左右一対の押圧球体ＰＢ１，ＰＢ２と、上記芯体１０の内部に格納され上記一対の押圧球体ＰＢ１，ＰＢ２を昇降移動する昇降移動機構Ｍと、この昇降移動機構Ｍを介して上記一対の押圧球体ＰＢ１，ＰＢ２を昇降操作する操作手段Ｈとを備えて成り、
上記脊柱筋伸展用背枕１は、上記４つの押圧球体ＰＢ１，ＰＢ２を上部支持面４より埋没させた状態において、床面Ｆ上に仰臥した被治療者Ｎの腰椎と胸椎間の背面に上部支持面４を当てがい、この状態で両肩甲関節部位が上記床面Ｆに付くように反って脊柱を前湾させると同時に脊柱前側縦靭帯と筋肉を伸展させて胸郭を開かせるように使用され、且つ上記４つの押圧球体ＰＢ１，ＰＢ２を上部支持面Ｆより一定量上昇させた状態において、上記床面Ｆ上に仰臥した被治療者Ｎの腰椎と胸椎間の背面に上記押圧球体ＰＢ１，ＰＢ２を当てがい、この状態で上記脊柱左右の筋肉の筋系帯を押圧して揉み解すように使用されることを特徴とする脊柱筋伸展用背枕。
【請求項２】
上記昇降移動機構Ｍが、上記低支持部５に配設された左右一対の上記第１押圧球体ＰＢ１を上端に装着しベース板１４上に立設した短案内管１５内を昇降移動可能に支持され下端側面にカムフォロア１８を軸支した左右一対の短軸１６と、上記高支持部６に配設された左右一対の第２押圧球体ＰＢ２を上端に装着し上記ベース板１４上に立設した長案内管２２内を昇降移動可能に支持され下端側面にカムフォロア２８を軸支した左右一対の長軸２４と、上記ベース板１４上の左右に一定間隔で並設された一対の第１ガイドレール１９に案内されて前後移動可能に支持され上記短軸１６のカムフォロア１８を案内支持する傾斜面を備えた一対の第１傾斜カムＣＭ１と、上記ベース板１４上の上記第１ガイドレール１９の両外側に一定間隔で並設された一対の第２ガイドレール３０に案内されて前後移動可能に支持され上記第１傾斜カムＣＭ１の傾斜面と前後方向で対称配置になるよう上記長軸２４のカムフォロア２８を案内支持する傾斜面を備えた一対の第２傾斜カムＣＭ２と、上記一対の第１傾斜カムＣＭ１の内側面間で連結する第１連結部材３２から内方に張り出した第１ラックギア３４と、上記一対の第２傾斜カムＣＭ２の内側面間で連結する第２連結部材３６から内方に張り出した第２ラックギア３８と、上記第１、第２ラックギア３４，３８に噛合するよう上記両ラックギア３４，３８間にあって上記ベース板１４上に立設した支軸４０に回転自在に支持されたギア４２と、上記ベース板１４の一端に立設した第２支持板４４に回転自在に挿通支持され且つ挿通した一端に上記第２連結部材３６を螺挿する螺子部が螺設され他端にハンドルＨが装着された回転操作軸４５とを備えて成り、
上記一対の第２傾斜カムＣＭ２は、上記ハンドルＨの回転操作と共に回転する上記回転操作軸４５の回転作用により第２連結部材３６を介して前後に移動すると共に、上記一対の第１傾斜カムＣＭ１は、上記第２連結部材３６により前後に移動する第２ラックギア３８と互いにギアに噛合する第１ラックギア３４を介して第１連結部材３２と共に相対的に前後に移動し、相対的に前後移動する上記第１、第２傾斜カムＣＭ１，ＣＭ２の傾斜面に支持されるカムフォロア１８，２８を介して上記第１、第２押圧球体ＰＢ１，ＰＢ２を同時に昇降移動するようにしたことを特徴とする請求項１に記載の脊柱筋伸展用背枕。
【考案の詳細な説明】
【技術分野】
【０００１】
本考案は、床面などの平坦面上に仰向けに寝た被治療者の腰椎と胸椎間の背中に背枕を当てがい、上記被治療者の上記背中部位の重力に抗して堆骨を押し上げて脊柱前縦靭帯と筋肉を伸展させる脊柱筋伸展用背枕に関する。
【背景技術】
【０００２】
従来、上記背枕は、被治療者の骨盤を床面より上方に支持して、骨盤の重力に対する反力で押圧目的部位を支持部で押圧して腰痛を治療するもので、床面から上面までの高さを比較的低くした低支持部と、床面から上面までの高さを比較的高くした高支持部とを並列した備えた背枕が知られている（例えば特許文献１参照）。
【０００３】
この種の背枕は、上記低支持部と高支持部は、適度の硬度を備えた発砲樹脂体により上面から床面上に載置される下面に亘って２つの円弧面を一体的に形成した芯体と、この芯体の外面を覆うシート状の表皮材とで構成されている。
【０００４】
上記のように構成された背枕は、腰椎を後弯させることによって、骨盤の仙骨と腸骨に付着する腰椎の脊柱靭帯と腸腰椎、並びに脊柱両側の脊柱起立筋を伸展させて靭帯や筋の異常を緩和し、前弯角過大によって起こる後部椎間狭窄状態や、４番腰椎あるいは５番腰椎２７の前方滑り状態を矯正できるようにし、同時に腸骨の仙骨に対する前屈あるいは後屈状態の後方傾斜部を押圧することで腸骨の過大な傾斜を矯正できるようにしたものである。
【０００５】
上記のように脊柱の後側にある筋や靭帯の伸展を行うには、被治療者が両膝を抱えた状態で仰臥の姿勢をとり、骨盤を床面から浮かせて腰の押圧目的部位にこの骨盤を押圧する背枕の例えば低支持部を当てがうことで治療効果が得えられる。
【０００６】
【特許文献１】特開２００２−１２６０３６号公報
【考案の開示】
【考案が解決しようとする課題】
【０００７】
上記特許文献１に示される背枕は、被治療者の押圧目的部位である腰椎あるいは腸骨の後方傾斜部を押圧する押圧面が、適度の硬度を備えた発砲樹脂体により低支持部または高支持部から成る２つの円弧面で形成されている。
【０００８】
従って上記背枕は、床面に仰臥した姿勢で低支持部または高支持部から成る円弧面で形成された背枕の押圧面を被治療者の押圧目的部位に当てがうことで腰痛治療の効果を発揮することができるが、更に上記の腰痛治療に加えて人体の基本構造である骨格と筋肉の状態を正常に整えて肩凝りや、猫背や下腹部のたるみ等も改善することができる多くの治療機能を備えた背枕が要望されていた。
【０００９】
本考案の目的は、床面に仰臥した被治療者の胸椎の背面に当てがうことで脊柱前縦靭帯と筋肉を伸展させて猫背を改善すると共に、上記背枕の上面から必要に応じて複数の押圧球を上昇させて脊柱左右筋肉の筋系帯を揉み解して肩凝りを改善できるようにした脊柱筋伸展用背枕を提供することを目的とする。
【課題を解決するための手段】
【００１０】
上記の目的を解決するために、本考案の請求項１に記載の脊柱筋伸展用背枕は、底面２が平坦面で上部支持面４が波状に連続した円弧状の湾曲面により低支持部５ないしこの低支持部５より僅かに高い高支持部６と両支持部の略中間に形成される谷部８とから成る２つの陵線が前後に並設された芯体１０と、この芯体１０の外面を覆う表皮材１２とから構成された脊柱筋伸展用背枕１に於いて、
上記脊柱筋伸展用背枕１は、上記芯体１０が適度の硬度を備えた弾性成形体により一体成形されると共に上記２つの陵線部位ないしその近傍に並設され上記上部支持面４から出没自在に昇降移動する左右一対の押圧球体ＰＢ１，ＰＢ２と、上記芯体１０の内部に格納され上記一対の押圧球体ＰＢ１，ＰＢ２を昇降移動する昇降移動機構Ｍと、この昇降移動機構Ｍを介して上記一対の押圧球体ＰＢ１，ＰＢ２を昇降操作する操作手段Ｈとを備えて成り、
上記脊柱筋伸展用背枕１は、上記４つの押圧球体ＰＢ１，ＰＢ２を上部支持面４より埋没させた状態において、床面Ｆ上に仰臥した被治療者Ｎの腰椎と胸椎間の背面に上部支持面４を当てがい、この状態で両肩甲関節部位が上記床面Ｆに付くように反って脊柱を前湾させると同時に脊柱前側縦靭帯と筋肉を伸展させて胸郭を開かせるように使用され、且つ上記４つの押圧球体ＰＢ１，ＰＢ２を上部支持面Ｆより一定量上昇させた状態において、上記床面Ｆ上に仰臥した被治療者Ｎの腰椎と胸椎間の背面に上記押圧球体ＰＢ１，ＰＢ２を当てがい、この状態で上記脊柱左右の筋肉の筋系帯を押圧して揉み解すように使用されることを特徴とする脊柱筋伸展用背枕である。
上記の脊柱筋伸展用背枕１によれば、芯体１０が、上部支持面４が円弧状の湾曲面により低支持部５が形成されると共に、略中間に形成される谷部８を挟んで僅かに高い高支持部６が適度の硬度を備えた弾性成形体により一体成形されており、４つの押圧球体ＰＢ１，ＰＢ２は、操作手段Ｈの操作により上記芯体１０内部に格納された昇降移動機構Ｍを介して上部支持面４から出没するように構成されている。この背枕の使用に際し、４つの押圧球体ＰＢ１，ＰＢ２を上部支持面４下に埋没させた状態で使用する場合は、床面Ｆ上に仰臥した被治療者Ｎの腰椎と胸椎間の背面に上記背枕１の上部支持面４を当てがい、この状態で両肩甲関節部位が上記床面Ｆに付くように反って脊柱を前湾させると同時に脊柱前側縦靭帯と筋肉を伸展させて胸郭を開かせるようにする。また、４つの押圧球体ＰＢ１，ＰＢ２を上部支持面４から上方に出した状態で使用する場合は、操作手段Ｈの操作により昇降移動機構Ｍを介して４つの押圧球体ＰＢ１，ＰＢ２を上部支持面４上より一定量上昇移動させた状態で、床面Ｆ上に仰臥した被治療者Ｎの腰椎と胸椎間の背面に上記４つの押圧球体ＰＢ１，ＰＢ２を当てがい、この状態で上記脊柱左右の筋肉の筋系帯を押圧して揉み解す。
【００１１】
本考案の請求項２に記載の脊柱筋伸展用背枕１は、上記昇降移動機構Ｍが、上記低支持部５に配設された左右一対の上記第１押圧球体ＰＢ１を上端に装着しベース板１４上に立設した短案内管１５内を昇降移動可能に支持され下端側面にカムフォロア１８を軸支した左右一対の短軸１６と、上記高支持部６に配設された左右一対の第２押圧球体ＰＢ２を上端に装着し上記ベース板１４上に立設した長案内管２２内を昇降移動可能に支持され下端側面にカムフォロア２８を軸支した左右一対の長軸２４と、上記ベース板１４上の左右に一定間隔で並設された一対の第１ガイドレール１９に案内されて前後移動可能に支持され上記短軸１６のカムフォロア１８を案内支持する傾斜面を備えた一対の第１傾斜カムＣＭ１と、上記ベース板１４上の上記第１ガイドレール１９の両外側に一定間隔で並設された一対の第２ガイドレール３０に案内されて前後移動可能に支持され上記第１傾斜カムＣＭ１の傾斜面と前後方向で対称配置になるよう上記長軸２４のカムフォロア２８を案内支持する傾斜面を備えた一対の第２傾斜カムＣＭ２と、上記一対の第１傾斜カムＣＭ１の内側面間で連結する第１連結部材３２から内方に張り出した第１ラックギア３４と、上記一対の第２傾斜カムＣＭ２の内側面間で連結する第２連結部材３６から内方に張り出した第２ラックギア３８と、上記第１、第２ラックギア３４，３８に噛合するよう上記両ラックギア３４，３８間にあって上記ベース板１４上に立設した支軸４０に回転自在に支持されたギア４２と、上記ベース板１４の一端に立設した第２支持板４４に回転自在に挿通支持され且つ挿通した一端に上記第２連結部材３６を螺挿する螺子部が螺設され他端にハンドルＨが装着された回転操作軸４５とを備えて成り、
上記一対の第２傾斜カムＣＭ２は、上記ハンドルＨの回転操作と共に回転する上記回転操作軸４５の回転作用により第２連結部材３６を介して前後に移動すると共に、上記一対の第１傾斜カムＣＭ１は、上記第２連結部材３６により前後に移動する第２ラックギア３８と互いにギアに噛合する第１ラックギア３４を介して第１連結部材３２と共に相対的に前後に移動し、相対的に前後移動する上記第１、第２傾斜カムＣＭ１，ＣＭ２の傾斜面に支持されるカムフォロア１８，２８を介して上記第１、第２押圧球体ＰＢ１，ＰＢ２を同時に昇降移動するようにしたことを特徴とする脊柱筋伸展用背枕である。
上記脊柱筋伸展用背枕によれば、上記ハンドルＨの回転操作と共に回転する回転操作軸４５の回転作用により第２連結部材３６を介して第２傾斜カムＣＭ２が前後に移動し、上記第２連結部材３６により前後に移動する第２ラックギア３８と互いにギア４２に噛合する第１ラックギア３４を介して第１連結部材３２と共に第１傾斜カムＣＭ１を相対移動し、これにより、相対的に前後移動する上記第１、第傾斜カムＣＭ１，ＣＭ２の傾斜面に支持されるカムフォロア１８，２８を介して上記第１、第２押圧球体ＰＢ１，ＰＢ２が同時に昇降移動される。
【考案の効果】
【００１２】
本考案は以下の効果を奏する。
【００１３】
請求項１に記載の考案によれば、床面に仰臥した被治療者の胸椎の背面に背枕を当てがって両肩甲関節部位が床に付くように反り、脊柱を前湾させると同時に脊柱前縦靭帯と筋肉を伸展させることで両肩が後ろに引けることで胸郭を開いて猫背を改善し、背枕の内部から上昇させた複数の押圧球により脊柱左右筋肉の筋系帯を揉み解すことで肩凝りを改善することができる。
【００１４】
請求項２に記載の考案によれば、ハンドルの回転操作により、低支持部に配設された左右一対の上記第１押圧球体と、高支持部に配設された左右一対の第２押圧球体がそれぞれ同時に昇降移動することができるので、治療内容に応じて上記４つの第１、第２押圧体を背枕の上部支持面から出没させて使用することができ、上部支持面からの突出量も適宜調整することができる。
【考案を実施するための最良の形態】
【００１５】
本考案の一実施例を以下に説明する。
【実施例】
【００１６】
図１〜図４には脊柱筋伸展用背枕の一実施例が示されている。図１は本考案に係る脊柱筋伸展用背枕の平面図、図２は脊柱筋伸展用背枕の側面図、図３は脊柱筋伸展用背枕の内部に格納された昇降移動機構の内部構造を示す平面図、図４は図３のＡ−Ａ断面図である。
【００１７】
図１において、１は椎筋伸展用背枕であって、この椎筋伸展用背枕１は、底面２が平坦面で上部支持面４が波状に連続した円弧状の湾曲面により低支持部５ないしこの低支持部５より僅かに高い高支持部６と両支持部５，６の略中間に形成される谷部８とから成る２つの陵線が前後に並設された適度の硬度を有するゴム状の弾性成形体（例えばスポンジ）芯体１０と、この芯体１０の外面を覆う例えば合成樹脂、皮革または繊維から成る表皮材１２で構成されている。
【００１８】
そして、上記芯体１０の内部には、上部支持面４から出没する４つの押圧球体ＰＢ１，ＰＢ２と、これら４つの押圧球体ＰＢ１，ＰＢ２を昇降移動する操作手段を備えた昇降移動機構（後述する）Ｍが格納されている。
【００１９】
上記昇降移動機構Ｍは、図３、図４に示すように円弧状の湾曲面で形成される上記低支持部５には、左右一対の上記第１押圧球体ＰＢ１が出没可能に配設されており、これら一対の第１押圧球体ＰＢ１は、ベース板１４上に立設した一対の短案内管１５内に昇降移動可能に支持された短軸１６上端に装着されると共にその下端側面に水平に取着された軸にカムフォロア１８が支持され、この軸は上記短案内管１５に縦長に形成された長孔２０から両外方に向けて挿通している。
【００２０】
そして、上記左右一対のカムフォロア１８は、これに対応して一定間隔離間して並設された一対の第１傾斜カムＣＭ１の傾斜面で案内可能に支持されており、上記一対の第１傾斜カムＣＭ１は、後述するハンドルＨの回転操作によりガイドレール１９に案内されて前後に直進移動し、この前後移動により上記左右一対のカムフォロア１８を上下に移動可能としている。上記両ガイドレール１９後端のベース板１４上には、第１支持板４３が立設しており上記第１傾斜カムＣＭ１の後退移動を規制するストッパとしている。
【００２１】
一方、円弧状の湾曲面で形成される上記低支持部５より僅かに高い高支持部６には、左右一対の上記第２押圧球体ＰＢ２が出没可能に配設されており、これら一対の第２押圧球体ＰＢ２は、ベース板１４上に立設した一対の長案内管２２内に昇降移動可能に支持された長軸２４上端に装着されると共にその下端側面に水平に取着された軸にカムフォロア２４が支持され、この軸は上記長案内管２２に縦長に形成された長孔２６から両内方に向けて挿通している。
【００２２】
そして、上記左右一対のカムフォロア２８は、これに対応して一定間隔離間して並設された一対の第１傾斜カムＣＭ２の傾斜面で案内可能に支持されており、上記一対の第１傾斜カムＣＭ２は、後述するハンドルＨの回転操作によりガイドレール３０に案内されて前後に直進移動し、この前後移動により上記左右一対のカムフォロア２８を上下に移動可能としている。
【００２３】
上記一対の第１傾斜カムＣＭ１の内側面間には第１連結部材３２が連結されており、この第１連結部材３２内側の略中央には第１ラックギア３４が取付けられて内方に張り出している。
【００２４】
また、上記一対の第２傾斜カムＣＭ２の内側面間には第２連結部材３６が連結されており、この第２連結部材３４内側の略中央には第２ラックギア３８が取付けられて内方に向けて張り出している。
【００２５】
更に、第２連結部材３６の略中央には図示しない螺子孔が螺設しており、この螺子孔には上記一対のガイドレール３０，３０後端の上記ベース板１４上に立設した第２支持板４４を挿通した回転操作軸４５の螺子部が螺合している。
【００２６】
そして、上記回転操作軸４５は、第２支持板４４の外側に大径段付き部４５ａが形成されており、この大径段付き部４５ａと上記第２支持板４４を挿通した回転操作軸４５に挿嵌固定されたカラー４６により軸方向の移動を規制している。
【００２７】
上記回転操作軸４５の後端には、この回転操作軸４５を回転操作する操作手段となるハンドルＨが装着されており、上記ハンドルＨの回転操作により正逆回転する回転操作軸４５を螺挿した第２連結部材３６を介して一対の第２傾斜カムＣＭ２が同時に前後移動するようになっている。
【００２８】
また、上記第２ラックギア３８は、第２連結部材３６の前後移動と共に前後に移動し、第２ラックギア３８にギア４２を介して噛合している第１ラックギア３４は、上記第２ラックギア３８と相対的に前後移動する。従って、上記第１傾斜カムＣＭ１は、第１ラックギア３４の後端が取付けられた第１連結部材３２を介して上記第２傾斜カムＣＭ２と相対的に前後移動するようになっている。
【００２９】
上記のように構成された昇降移動機構Ｍは、収納ケース５０内に収容されておりこの収納ケース５０は、上記芯体１０の内部に形成された収納空間Ｓ内に格納されている。そして上記収納空間Ｓは底面が開口しており、この開口部は、開閉可能な蓋板Ｄにより閉塞されており、この蓋板Ｄの上にベース板１４が載置されている。
【００３０】
上記収納ケース５０が収容された収納空間Ｓの外周は、上記芯体１０外周の湾曲する連続した曲面で形成されると共に下面に上記開口部を形成した薄板状の隔壁５２で覆われており、隔壁５２の上面には表皮材１２の端縁が貼着されている。上記隔壁５２下面の開口部には蓋板Ｄが掛止部に係止されており、上記蓋板Ｄの一端はスライド可能なロック部材Ｒで保持されている。
【００３１】
上記のように構成された昇降移動機構Ｍによれば、上記４つの押圧球体ＰＢ１，ＰＢ２を同時に上昇移動させる際は、昇降移動機構ＭのハンドルＨの一方向への回転操作により上記第１、第２傾斜カムＣＭ１，ＣＭ２が例えば内方に相対的に移動する。これにより、上記第１、第２傾斜カムＣＭ１，ＣＭ２の傾斜面上に案内されて左右一対のカムフォロア１８，２８を介して一定量Ｔ上昇移動する（図４参照）。
【００３２】
また、上記４つの押圧球体ＰＢ１，ＰＢ２を同時に下降移動させる際は、昇降移動機構ＭのハンドルＨの他方向への回転操作により上記第１、第２傾斜カムＣＭ１，ＣＭ２が例えば外方に相対的に移動する。なお、上記４つの押圧球体ＰＢ１，ＰＢ２は、ハンドルＨの回転操作を途中で停止させれば、所望の高さで保持することができる。
【００３３】
また、上記第１、第２傾斜カムＣＭ１，ＣＭ２を傾斜角度または高さを変えた傾斜カムと交換すれば、第１、第２傾斜カムＣＭ１，ＣＭ２の昇降移動や移動高さを個別に設定することができる。
【００３４】
更に、上記ハンドルＨに代えて動力源として小型電動モータを連結しれば、スイッチをＯＮ・ＯＦＦすることで、４つの押圧球体ＰＢ１，ＰＢ２を自動的に昇降移動することもできる。
【００３５】
これにより、上記脊柱筋伸展用背枕１は、治療内容によっては４つの押圧球体ＰＢ１，ＰＢ２を、上記ハンドルにより波状に連続した円弧状の湾曲面により形成される低支持部ないしこの低支持部より僅かに高い高支持部から成る上部支持面４から一定量突出させて使用し、または上部支持面の下方に没入させた背枕として選択的に使用することができる。
【００３６】
次に、上記脊柱筋伸展用背枕１の使用法に付き図５、図６および図７（ａ）、（ｂ）を参照して説明する。
【００３７】
図５は人体を背面から見た骨格構造図、図６は人体を側面から見た骨格構造図、図７（ａ）は背枕の使用例を示す斜視図、（ｂ）は背枕の使用例を示す側面図である。
【００３８】
上記４つの押圧球体ＰＢ１，ＰＢ２を上部支持面から上方に出した状態で使用する場合は、図７（ｂ）において、床面Ｆに仰臥した（仰向けに寝た）被治療者Ｎ胸椎から腰椎の間の堆骨を押し上げるように上記腰枕１を背中に当てがって両肩甲関節部位が床に付くように反り、図５に示す脊柱左右の筋肉の筋系帯のポイントとして特に胸椎から腰椎間のポイントに４つの押圧球体ＰＢ１，ＰＢ２を押し当てて筋肉を揉み解す。これにより、重症の肩凝りの改善や、疲労を回復することができる。
【００３９】
また、上記４つの押圧球体ＰＢ１，ＰＢ２を上部支持面４より下方に埋没させた状態で使用する場合は、図６に示すように、上記と同様に床面Ｆに仰臥した被治療者Ｎの胸椎から腰椎の間に堆骨を押し上げるように背中に上記腰枕１を当てがって図７（ａ）に示すように両肩甲関節部位が床に付くように反り、脊柱を前湾させると同時に脊柱前縦靭帯と筋肉を伸展させる。
【００４０】
これにより、両肩が後ろに引けることで胸郭が開いて老人体形と言われる猫背が改善されて上半身の姿勢が良くなり、肺呼吸が大きくなり血液の酸素による浄化が容易になる。さらに、前面下腹部の筋肉が引き上げられるので凸腹の肉のたるみを改善することができる。
【００４１】
このように、上記の脊柱筋伸展用背枕は、軽量、小型に形成されるので家庭の床面や畳上に置いて使用したり、事務所でも椅子の背もたれ部におくだけで簡単に使用することができる。
【図面の簡単な説明】
【００４２】
【図１】本考案に係る脊柱筋伸展用背枕の平面図である。
【図２】本考案に係る脊柱筋伸展用背枕の側面図である。
【図３】本考案に係る脊柱筋伸展用背枕の内部に格納された昇降移動機構の内部構造を示す平面図である。
【図４】図３のＡ−Ａ断面図である。
【図５】人体を背面から見た骨格構造図である。
【図６】人体を側面から見た骨格構造図である。
【図７】（ａ）は背枕の使用例を示す斜視図、（ｂ）は背枕の使用例を示す側面図である。
【符号の説明】
【００４３】
１              脊柱筋伸展用背枕
２              底面
４              上部支持面
５              低支持部
６              高支持部
８              谷部
１０            芯体
１２            表皮材
１４            ベース板
１５            短案内管
１６            短軸
１８，２８      カムフォロア
１９            第１ガイドレール
２０，２６      長孔
２２            長案内管
２４            長軸
３０            第２ガイドレール
３２            第１連結部材
３４            第１ラックギア
３６            第２連結部材
３８            第２ラックギア
４０            支軸
４２            ギア
４３            第１支持板
４４            第２支持板
４５            回転操作軸
４５ａ          大径段付き部
４６            カラー
ＣＭ１          第１傾斜カム
ＣＭ２          第２傾斜カム
Ｄ              蓋板
Ｆ              床面
Ｈ              ハンドル（操作手段）
Ｍ              昇降移動機構
Ｎ              被治療者
ＰＢ１          第１押圧球体
ＰＢ２          第２押圧球体
Ｓ              収納空間
【図１】
0003141014.tif 000003
【図２】
0003141014.tif 000004
【図３】
0003141014.tif 000005
【図４】
0003141014.tif 000006
【図５】
0003141014.tif 000007
【図６】
0003141014.tif 000008
【図７】
0003141014.tif 000009